(57)【要約】【課題】  透過性部材を透過する内部光源の光により、遊技媒体受皿内を効果的に照明する。【解決手段】  遊技機の前扉３の前面に取り付けられる化粧用パネル構造体１０を裏面側から内部光源１１で照明するとともに、内部光源１１の光により、前扉３の下部に設けられる遊技媒体受皿３ｂ内を照明するようにした遊技機において、化粧用パネル構造体１０における下枠部１２１の表面を前上がり傾斜に形成するとともに、下枠部１２１に後方が開口した切欠部１５を設け、切欠部１５に、内部光源１１からの光を透過して、遊技媒体受皿３ｂ内を照明可能な透過性部材１６を、前上がり姿勢で着脱可能に嵌合固定する。    【選択図】  図６
2006081699.tif 000002
【特許請求の範囲】
【請求項１】
遊技機の前扉の前面に取り付けられる化粧用パネル構造体を裏面側から内部光源で照明するとともに、前記内部光源の光により、前記前扉の下部に設けられる遊技媒体受皿内を照明するようにした遊技機において、
前記化粧用パネル構造体における下枠部の表面を前上がり傾斜に形成するとともに、該下枠部に後方が開口した切欠部を設け、該切欠部に、前記内部光源からの光を透過して、前記遊技媒体受皿内を照明可能な透過性部材を、前上がり姿勢で着脱可能に嵌合固定したことを特徴とする遊技機。
【請求項２】
透過性部材の両側部に下向き凹溝を設けるとともに、下枠部の裏面に前記凹溝が左右方向に係合可能な上向き突条部を設けたことを特徴とする請求項１記載の遊技機。
【請求項３】
透過性部材の前部を、前方を向く締結手段により、前記化粧用パネル構造体の下枠部の裏面に締結したことを特徴とする請求項１または２記載の遊技機。
【請求項４】
前扉の前面に、透過性部材の後端部の上面に当接可能な突部を設けたことを特徴とする請求項１〜３のいずれかに記載の遊技機。
【請求項５】
透過性部材の表面を、化粧用パネル構造体の下部枠の表面と平坦にしたことを特徴とする請求項１〜４のいずれかに記載の遊技機。
【発明の詳細な説明】
【技術分野】
【０００１】
本発明は、前扉に設けられた遊技媒体受皿内を内部光源の光で照明するようにした遊技機に関する。
【背景技術】
【０００２】
従来、スロットマシン等の遊技機においては、各遊技装置が収容される筐体（キャビネット）と、筐体の前面に開閉可能に設けられる前扉（パネル表示部）とを備え、前扉の前面下部に、装飾効果や宣伝効果を奏する化粧用パネル（腰パネル）を設けるとともに、化粧用パネルを裏面側から照明する蛍光灯等の内部光源を、前扉の前面下部に取り付けられた透過性部材を透過させ、この透過した光をもって、メダル等の遊技媒体が払い出される受皿内を照明するようにしている（例えば、特許文献１参照）。
【特許文献１】特開２００４−１６６８２４号公報
【発明の開示】
【発明が解決しようとする課題】
【０００３】
しかし、上述のような遊技機においては、透過性部材が前扉に下向きに固定されているため、透過性部材を透過する光の照明範囲が透過性部材の真下、すなわち受皿内の奥側のみとなり、受皿内を効果的に照明することができない。
【０００４】
本発明は、従来の問題に鑑み、透過性部材を透過する内部光源の光により、遊技媒体受皿内を効果的に照明するようにした遊技機を提供することを目的とする。
【課題を解決するための手段】
【０００５】
本発明によると、上記課題は、次のようにして解決される。
（１）遊技機の前扉の前面に取り付けられる化粧用パネル構造体を裏面側から内部光源で照明するとともに、前記内部光源の光により、前記前扉の下部に設けられる遊技媒体受皿内を照明するようにした遊技機において、前記化粧用パネル構造体における下枠部の表面を前上がり傾斜に形成するとともに、該下枠部に後方が開口した切欠部を設け、該切欠部に、前記内部光源からの光を透過して、前記遊技媒体受皿内を照明可能な透過性部材を、前上がり姿勢で着脱可能に嵌合固定する。
【０００６】
（２）上記(１)項において、透過性部材の両側部に下向き凹溝を設けるとともに、下枠部の裏面に前記凹溝が左右方向に係合可能な上向き突条部を設ける。
【０００７】
（３）上記(１)または(２)項において、透過性部材の前部を、前方を向く締結手段により、前記化粧用パネル構造体の下枠部の裏面に締結する。
【０００８】
（４）上記(１)〜(３)項のいずれかにおいて、前扉の前面に、透過性部材の後端部の上面に当接可能な突部を設ける。
【０００９】
（５）上記(１)〜(４)項のいずれかにおいて、透過性部材の表面を、化粧用パネル構造体の下部枠の表面と平坦にする。
【発明の効果】
【００１０】
本発明によれば、次のような効果が奏せられる。
（ａ）請求項１記載の発明によると、化粧用パネル構造体における下枠部の表面を前上がり傾斜に形成するとともに、下枠部に後方が開口した切欠部を設け、この切欠部に、内部光源からの光を透過して、遊技媒体受皿内を照明可能な透過性部材を、前上がり姿勢で着脱可能に嵌合固定したことにより、透過性部材を透過した内部光源の光が、前方斜め下方を照明して、遊技媒体受皿内を効果的に照明することができる。また、透過性部材に各種彩色を施したり、透過性部材の代わりに不透過性部材を切欠部に固定することにより、遊技機前面のイメージを変化させることができる。
【００１１】
（ｂ）請求項２記載の発明によると、透過性部材の両側部に下向き凹溝を設けるとともに、下枠部の裏面に凹溝が左右方向に係合可能な上向き突条部を設けたことにより、透過性部材の取り付けに際し、化粧用パネル構造体に対する透過性部材の位置決めを容易かつ確実に行うことができ、また、取り付け後においては、透過性部材の左右方向のがた付きを確実に抑えることができる。
【００１２】
（ｃ）請求項３記載の発明によると、透過性部材の前部を、締結手段により化粧用パネル構造体の下枠部の裏面に締結したことにより、透過性部材の前部を下枠部に強固に固定することができる。
【００１３】
（ｄ）請求項４記載の発明によると、前扉の前面に、透過性部材の後部の上面に当接可能な突部を設けたことにより、透過性部材の後部のがた付きを確実に抑えることができる。
【００１４】
（ｅ）請求項５記載の発明によると、透過性部材の表面を、化粧用パネル構造体の下部枠の表面と平坦にしたことにより、前扉における前面の外観の見栄え向上を図ることができる。
【発明を実施するための最良の形態】
【００１５】
以下、本発明の一実施形態を、図面に基づいて説明する。図１は、本発明を適用した遊技機（スロットマシン）の正面図、図２は、化粧用パネル構造体を取り外した遊技機の斜視図、図３は、化粧用パネル構造体の裏面側斜視図、図４は、化粧用パネルの裏面側分解斜視図、図５は、透過性部材及び要部の拡大裏面図、図６は、図１におけるVIーVI線に沿う縦断面図である。なお、以下の説明では、図１において紙面手前側、図２において左斜め下方を遊技機の「前方または表面」とし、図１において紙面奥側、図２において右斜め上方を「後方または裏面」とし、図１において左側、図２において左斜め上方を「左方」とし、図１において右側、図２において右斜め下方を「右方」とする。
【００１６】
遊技機(１)は、前面が開口した矩形状の筐体(２)と、筐体(２)の左前端部に上下方向を向くヒンジ軸(４)により開閉可能に枢支された前扉(３)とを備える。前扉(３)は、右側部後面に設けられたロックレバー（図示略）が筐体(２)側に設けられた係合片（図示略）に係合することにより、閉状態に拘束される。
【００１７】
筐体(２)の内部には、外周面に複数種類の図柄が付記された円筒状の３個の回転リール(５)、遊技媒体であるメダルを貯留及び払出可能なホッパーユニット（図示略）、遊技全体を統括的に制御する主制御基板（図示略）及び各遊技装置に電力を供給する電源ボックス（図示略）等が収容されている。
【００１８】
前扉(３)の前面には、各回転リール(５)の図柄を３個ずつ視認可能な図柄表示窓(3a)、メダル（コインを含む）を投入可能なメダル投入口(６)、遊技の開始に際し、メダルの賭数を設定するときに操作されるベットボタン(７)、全ての回転リール(５)を同時に回転させるときに操作されるスタートレバー(８)、各回転リール(５)を個別に停止させるときに操作される３個のストップボタン(９)、前扉(３)の前面下部を装飾する化粧用パネル構造体(10)、化粧用パネル構造体(10)を裏面側から照明する内部光源をなす蛍光灯(11)、ホッパーユニットから払い出されるメダルを受け入れるメダル受皿(3b)が設けられている。
【００１９】
遊技機(１)の遊技は、遊技者がメダルをメダル投入口(６)に投入した後、ベットボタン(７)及びスタートレバー(８)を順次操作して、全ての回転リール(５)を回転させることによって開始される。そして、回転リール(５)が回転して所定時間が経過した後、３個のストップボタン(９)を順次操作して、各回転リール(５)の回転を停止させ、停止した３個の回転リール(５)の図柄の組み合わせにより、入賞の有無、及び賞の大小に応じたメダルの配当枚数が確定され、入賞した場合には、予め定めた入賞枚数分だけホッパーユニットから前扉(３)のメダル受皿(3b)にメダルが払い出される。
【００２０】
なお、本実施形態の遊技機(１)は、メダルを使用して上述のような遊技を行うスロットマシンとするが、本発明は、本実施形態に特定されるものでなく、例えば、遊技機(１)を、パチンコ玉を使用して上述とほぼ同様な遊技を行うことができるスロットマシンとしても良い。
【００２１】
化粧用パネル構造体(10)は、主に図４に示すように、合成樹脂製のパネル枠(12)と、パネル枠(12)の内側に嵌め込まれる半透明のアクリル板等により形成されるパネル(13)と、パネル枠(12)に嵌め込まれたパネル(13)の左右両端部を裏面側から押さえる左右のパネル押さえ枠(14)と、パネル枠(12)における下枠部(121)に設けられた切欠部(15)に着脱可能に嵌合されて固定されるとともに、蛍光灯(11)の光を透過可能な合成樹脂製の透過性部材(16)とを含んで構成される。
【００２２】
なお、メダル受皿(3b)内を照明しない機種の遊技機(１)においては、下枠部(121)の切欠部(15)に透過性部材(16)の代わりに不透過性部材が固定される。すなわち、切欠部(15)には、透過性部材(16)と不透過性部材とが選択的に固定される。
【００２３】
パネル枠(12)は、左右の側枠部(122)(123)、左右の側枠部(122)(123)の上端部同士を連結する上枠部(124)及び左右の側枠部(122)(123)の下端部同士を連結する前述の下枠部(121)を有し、下枠部(121)は、主に図６に示されるように表面が前上がり傾斜するように形成される。下枠部(121)の左右方向ほぼ中央、すなわちメダル受皿(3b)の真上には、後方が開口した前述の切欠部(15)が設けられ、また、下枠部(121)の裏面における切欠部(15)の左右両側には、下枠部(121)の剛性を高めるための上向き突条部(17)〜(20)が前後方向に沿って延設されている。
【００２４】
透過性部材(16)は、下枠部(121)の表面とほぼ平坦になるように、切欠部(15)に前上がり傾斜で嵌合される透過部(161)を有し、透過部(161)の左右両側部には、下枠部(121)の裏面に設けられた複数の突条部(17)〜(20)のうち切欠部(15)の両側部に近設する左右の突条部(18)(19)に左右方向にそれぞれ係合可能な左右の下向き凹溝(162)が前後方向に延設され、また、同じく上部には、前方を向く締結手段をなすねじ(21)により、下枠部(121)の裏面における切欠部(15)の上方に設けられた螺合部(22)に締結される左右の締結部(163)が設けられている。
【００２５】
なお、透過性部材(16)を下枠部(121)に固定するに際し、透過性部材(16)を下枠部(121)の裏面側から前方へ押し込んで、透過部(161)を切欠部(15)に、また、下向き凹溝(162)を突条部(18)(19)にそれぞれ嵌合させた後、透過性部材(16)の組付け方向と同一方向（前方）を向く向くねじ(21)により螺合部(22)に締結する。
【００２６】
パネル(13)を裏面側から照明する蛍光灯(11)の光は、表面が前上がり傾斜の透過部(161)を透過し、透過部(161)の前斜め下方、すなわちメダル受皿(3b)内における手前側を効果的に照明する。これにより、遊技者は、メダル受皿(3b)内に貯留されているメダルを容易に視認することができる。
【００２７】
左右のパネル押さえ枠(14)は、水平方向の横枠部(14a)と垂直方向の縦枠部(14b)とを有してほぼＬ字状をなすととともに、前方を向くねじ(23)により、パネル枠(12)の外枠部(122)(123)及び下枠部(121)に締結され、パネル(13)の外周を裏面側から押さえる。
【００２８】
左右のパネル押さえ枠(14)の縦枠部(14b)には、後方へ突出し、前扉(３)に設けられた開口部(24)（図２参照）に係合可能なフック部(14c)が設けられている。左右のフック部(14c)は、開口部(24)に係合することにより、化粧用パネル構造体(10)を前扉(３)の前面下部に着脱可能に固定する。
【００２９】
化粧用パネル構造体(10)が前扉(３)の前面に固定された状態においては、図６に示すように、透過性部材(16)の後端部が前扉(３)の前面下部に設けられた左右の突部(25)の下面に当接し、透過性部材(16)の後部が上方へがた付かないように押さえられる。
【００３０】
以上により、本発明は、遊技機(１)の前扉(３)の前面に取り付けられる化粧用パネル構造体(10)を裏面側から内部光源をなす蛍光灯(11)で照明するとともに、蛍光灯(11)の光により、前扉(３)の下部に設けられるメダル受皿(3b)内を照明するようにした遊技機において、化粧用パネル構造体(10)における下枠部(121)の表面を、図６に示すように、前上がり傾斜に形成するとともに、下枠部(121)に後方が開口した切欠部(15)を設け、切欠部(15)に、蛍光灯(11)からの光を透過して、遊技媒体受皿(3b)内を照明可能な透過性部材(16)を、前上がり姿勢で着脱可能に嵌合固定したことを特徴とする。この構成により、透過性部材(16)を透過した蛍光灯(11)の光は、前方斜め下方を照明し、メダル受皿(3b)内を効果的に照明することができる。また、透過性部材(16)に各種彩色を施したり、または、透過性部材(16)の代わりに不透過性部材を切欠部(15)に固定することにより、遊技機(１)の前面のイメージを変化させることができる。
【００３１】
また、透過性部材(16)の両側部に下向き凹溝(162)を設けるとともに、下枠部(121)の裏面に凹溝(162)が左右方向に係合可能な上向き突条部(18)(19)を設けたことにより、透過性部材(16)の取り付けに際し、化粧用パネル構造体(10)のパネル枠(12)に対する透過性部材(16)の位置決めを容易かつ確実に行うことができ、また、取り付け後においては、透過性部材(16)の左右方向のがた付きを確実に抑えることができる。
【００３２】
透過性部材(16)の前部を、締結手段をなす前方を向くねじ(21)により化粧用パネル構造体(10)の下枠部(121)の裏面に締結したことにより、透過性部材(16)の前部を下枠部(121)に強固に固定することができる。また、透過性部材(16)を下枠部(121)の切欠部(15)に嵌合させるときの組付け方向と、ねじ(21)の挿入方向とを同一方向（前方）にすることができ、透過性部材(16)の組付けを容易に行うことができる。
【００３３】
前扉(３)の前面に、透過性部材(16)の後部の上面に当接可能な突部(25)を設けたことにより、透過性部材(16)の後部のがた付きを確実に抑えることができる。
【００３４】
さらには、透過性部材(16)における透過部(161)の表面を、化粧用パネル構造体(10)の下部枠(121)の表面と平坦にしたことにより、前扉(３)における前面の外観の見栄え向上を図ることができる。
【図面の簡単な説明】
【００３５】
【図１】本発明を適用した遊技機の正面図である。
【図２】化粧用パネル構造体を取り外した遊技機の斜視図である。
【図３】化粧用パネル構造体の裏面側斜視図である。
【図４】化粧用パネル構造体の裏面側分解斜視図である。
【図５】透過性部材の拡大裏面図である。
【図６】図１におけるVI−VI線に沿う縦断面図である。
【符号の説明】
【００３６】
(１)遊技機
(２)筐体
(３)前扉
(3a)図柄表示窓
(3b)メダル受皿
(４)ヒンジ軸
(５)回転リール
(６)メダル投入口
(７)ベットボタン
(８)スタートレバー
(９)ストップボタン
(10)化粧用パネル構造体
(11)蛍光灯（内部光源）
(12)パネル枠
(121)下枠部
(122)(123)側枠部
(124)上枠部
(13)パネル
(14)パネル押さえ枠
(14a)横枠部
(14b)縦枠部
(14c)フック部
(15)切欠部
(16)透過性部材
(161)透過部
(162)下向き凹溝
(163)締結部
(17)〜(20)上向き突条部
(21)ねじ（締結手段）
(22)螺合部
(23)ねじ
(24)開口部
(25)突部
【図１】
2006081699.tif 000003
【図２】
2006081699.tif 000004
【図３】
2006081699.tif 000005
【図４】
2006081699.tif 000006
【図５】
2006081699.tif 000007
【図６】
2006081699.tif 000008